(57)【要約】【課題】塵埃の捕獲機能を有し、従来のワイパー型清掃具に比べて、塵埃の回収が容易な清掃具を提供する。【解決手段】板状の弾性材料よりなる先端部分１と、先端部分１を保持するホルダ部２とを備えている。先端部分１はその先端３が清掃面に直線状に接触し、先端３を清掃面に押し付けることにより変形可能に構成されている。また、先端部分１には、清掃面と接触する先端３から長さ２〜８ｍｍ程度の切り込み４が、２〜５ｍｍ程度の間隔で形成されている。【選択図】図１
2019171133.tif 000002
【特許請求の範囲】
【請求項１】
清掃面に先端が線状に接触し、前記先端を前記清掃面に押し付けることにより変形可能な板状の弾性材料よりなる先端部分と、該先端部分を保持するホルダ部とを備えた清掃具であって、
前記先端部分には、前記清掃面と接触する先端から所定の長さの複数個の切り込みが形成されていることを特徴とする清掃具。
【請求項２】
前記先端部分の前記先端での厚さは１〜５ｍｍであり、前記切り込みの長さは１〜１５ｍｍであり、前記複数個の切り込みは２〜１５ｍｍの間隔で形成されていることを特徴とする請求項１に記載の清掃具。
【請求項３】
前記切り込みの隙間の幅は、前記先端部分が変形していない状態では１ｍｍ以下であることを特徴とする請求項１又は請求項２に記載の清掃具。
【請求項４】
前記清掃面に接触する先端は直線状に形成され、前記複数個の切り込みは、前記直線状の先端に対して８０〜１００度の角度で直線状に形成されていることを特徴とする請求項１乃至請求項３のいずれか１項に記載の清掃具。
【請求項５】
前記直線状の先端を複数個有し、該複数個の直線状の先端は互いに３度以上の角度を成すことを特徴とする請求項４に記載の清掃具。
【請求項６】
前記ホルダ部に取り付けられた取手を有し、前記取手の長さ方向が、前記直線状に接する先端に対して所定の角度を成すように、前記取手は回転可能に構成されていることを特徴とする請求項５に記載の清掃具。
【請求項７】
前記先端部分と前記ホルダ部は同じ材料により一体として形成されていることを特徴とする請求項１乃至請求項６のいずれか１項に記載の清掃具。
【発明の詳細な説明】
【技術分野】
【０００１】
本発明は、板状の弾性体からなる先端部分を机面上や床面上を接触させながら移動させることにより、塵埃を捕獲する清掃具に関する。
【背景技術】
【０００２】
従来、窓ガラス等の平坦な面の汚れや塵埃を除去するために、棒状の把手の先にゴム板などを設けた清掃具が、窓ガラス用のワイパー等として使用されており、その従来例が特許文献１及び２に記載されている。
【先行技術文献】
【特許文献】
【０００３】
【特許文献１】特開２０００-２３８８１号公報
【特許文献２】実開昭５６−１６８０４５号公報
【発明の概要】
【発明が解決しようとする課題】
【０００４】
従来の窓ガラス用のワイパーと同様な形態の清掃具、すなわち、ワイパー型清掃具は、平坦な清掃面に弾力のあるゴム板等の１辺の先端を押し付けて移動させることにより、汚れや塵埃などを掻き取り、除去するものである。清掃面を水で濡らしながら行う場合もある。このようなワイパー型清掃具は、窓ガラス以外の用途にも使用され、机面、家具面、狭い床面などの塵埃を除去する目的で、簡易な清掃具として使用されている。
【０００５】
上記のような様々な用途で上記のワイパー型清掃具を使用する場合、塵埃の捕獲機能がないので、掻き取られた塵埃は清掃具の先端の清掃面上に溜り、塵取り等で回収することが必要となる。この場合、清掃具の移動により塵埃が前方に飛散することや、塵埃が清掃面上に広がってしまい、回収に時間がかかるという問題が生じていた。
【０００６】
そこで、本発明は、係る問題を解決するためになされたものであり、塵埃の捕獲機能を有し、従来のワイパー型清掃具に比べて、塵埃の回収が容易な清掃具を提供することを目的とする。
【課題を解決するための手段】
【０００７】
第１の観点では、本発明の清掃具は、清掃面に先端が線状に接触し、前記先端を前記清掃面に押し付けることにより変形可能な板状の弾性材料よりなる先端部分と、該先端部分を保持するホルダ部とを備えた清掃具であって、前記先端部分には、前記清掃面と接触する先端から所定の長さの複数個の切り込みが形成されていることを特徴とする。
【０００８】
本発明の清掃具では、清掃面にゴム板等の弾性体材料よりなる先端部分の先端の１辺を押し付けて移動させることにより、先端に形成された複数の切り込みに埃等の塵埃が挟まり、その埃が清掃具を移動させることにより繋がったり、塊になったりして、切り込みからその埃等が離れることなく移動動作が行えることが、発明者らの実験により確認された。このように、本発明では先端の切込みに塵埃が捕獲されることにより、清掃面上での塵埃の拡散が少なくなり、従来のワイパー型清掃具より塵埃の回収が容易となる。なお、本発明の清掃具は、ホルダ部を手で保持して移動させてもよく、清掃具を持ちやすくするために、ホルダ部に棒状の取手を取り付けてもよい。
【０００９】
第２の観点では、本発明は、第１の観点の清掃具において、前記先端部分の前記先端での厚さは１〜５ｍｍであり、前記切り込みの長さは１〜１５ｍｍであり、前記複数個の切り込みは２〜１５ｍｍの間隔で形成されていることを特徴とする。
【００１０】
本発明の清掃具は、表面が平坦な様々な清掃面に適用が可能である。清掃面が机や様々な家具の表面等の狭い清掃面に用いる場合であれば、清掃具の先端部分の形状は、小型の形状が適している。この場合、清掃面に接触する先端の幅は、用途に合わせて、数ｃｍ〜２０ｃｍ程度が望ましい。また、ゴム板等の先端の厚さは１〜２ｍｍ程度が適しており、その先端には、長さ１〜８ｍｍ程度の切り込みが、２〜５ｍｍ程度の間隔で形成されていることが望ましい。
一方、本発明の清掃具は、平坦な床面の清掃にも適用が可能である。このような用途に対しては、清掃具の先端部分の形状は、上記の場合より大きくてもよい。清掃面に接触する先端の幅は、用途に合わせて２０ｃｍ〜６０ｃｍ程度の形状とすることができる。その場合には、ゴム板等の先端の厚さは２〜５ｍｍ程度が適しており、その先端には、長さ５〜１５ｍｍ程度の切り込みが、５〜１５ｍｍ程度の間隔で形成されていることが望ましい。また、床面のような広い面積に使用する場合には、ホルダ部に長い棒状の取手を取り付けることが望ましい。
【００１１】
第３の観点では、本発明は、前記第１または第２の観点の清掃具において、前記切り込みの隙間の幅は、前記先端部分が変形していない状態では１ｍｍ以下であることを特徴とする。
本発明の清掃具に備える切り込みは、先端の隣り合う切り込みに挟まれた部分が、その外側の部分とは独立して変形することにより、切り込みに埃などを挟み込み、そのまま移動させることを目的とする。このことから、先端が変形していない時は、ゴム等の弾性体材料の弾力により切り込みによる隙間が生じていないことが最も望ましい。隙間が生じたとしても、埃などを切り込みに保持するためには、その幅は１ｍｍ以下であることが望ましい。
【００１２】
第４の観点では、本発明は、前記第1乃至第３の観点の清掃具において、前記清掃面に接触する先端は直線状に形成され、前記複数個の切り込みは、前記直線状の先端に対して８０〜１００度の角度で直線状に形成されていることを特徴とする。
本発明の清掃具に備える切り込みは、上記のように、切り込みに埃などを挟んだまま移動させることを目的とするので、その切り込みが先端から形成されていればよく、切り込みの方向や切り込みの形状は任意であってもよい。しかし、本観点の発明のように、先端が直線状である場合は、その直線に対して垂直に近い角度、すなわち８０〜１００度の角度で、直線的に切り込みを入れる方が作製が容易である。
【００１３】
第５の観点では、本発明は、前記第４の観点の清掃具において、前記直線状の先端を複数個有し、該複数個の直線状の先端は互いに３度以上の角度を成して配置されていることを特徴とする。
本観点の発明の清掃具では、直線状の先端が複数個配置されている。その配置は、例えば、２つの先端の直線がなす角度がθ（ここで、３°＜θ＜９０°とする）の場合、１８０°−θの鈍角を挟む３角形の２辺に先端が配置されている場合と、θの鋭角を挟む３角形の２辺に先端が配置されている場合とが可能である。
このように複数の先端を有することにより、清掃作業ごとに異なる先端を用いることができる。例えば、１つの先端の切り込みに挟まれた埃等が溜まった場合、他の先端を用いることができる。また、複数の先端において、切り込みの間隔や長さを互いに変えることにより、予想される塵埃の大きさや数、種類などに応じて、使用する先端を取り換えて使用することも可能である。例えば、１つの先端で大きな塵埃を取り除いた後、別の先端でより細かい塵埃を取り除くなどの作業が可能である。
【００１４】
第６の観点では、本発明は、前記第５の観点の清掃具において、前記ホルダ部に取り付けられた取手を有し、前記取手の長さ方向が、前記直線状の先端に対して所定の角度を成すように、前記取手は回転可能に構成されていることを特徴とする。
本観点の発明では、ホルダ部に取り付ける取手の方向が、用いる先端に対して、例えば常に９０度となるように、取手の取り付け部に回転機構を設けることができる。このような取手を用いることにより、先端を取り換えて清掃する場合の作業が容易となる。
【００１５】
第７の観点では、本発明は、前記第１乃至第６の観点の清掃具において、前記先端部分と前記ホルダ部は同じ材料により一体として形成されていることを特徴とする。
本発明の清掃具の先端部分として様々なゴム等の弾性材料を含むエラストマーを用いることができ、先端部分を保持するホルダ部は弾性体材料である必要はない。しかし、先端部分とホルダ部を同じ弾性体材料で一体として形成することにより製作工程を簡易化できる。
【発明の効果】
【００１６】
上記のように、本発明により、塵埃の捕獲機能を有し、従来のワイパー型清掃具に比べて、塵埃の回収が容易な清掃具が得られる。
【図面の簡単な説明】
【００１７】
【図１】実施例１に係る清掃具の概略形状を示す図であり、図１（ａ）は正面図、図１（ｂ）は側面図。
【図２】実施例１の清掃具の使用状態を示す斜視図。
【図３】実施例１の清掃具の先端部分の先端の形状例を示す図であり、図３（ａ）は正面図、図３（ｂ）は側面図。
【図４】実施例１の清掃具の先端の形状の変形例を示す正面図。
【図５】実施例２に係る清掃具の概略形状を示す正面図。
【図６】実施例３に係る清掃具の概略形状を示す正面図。
【発明を実施するための形態】
【００１８】
以下、図面を参照して本発明の清掃具を実施例により詳細に説明する。なお、図面の説明において同一の要素には同一符号を付し、その重複した説明を省略する。
【実施例１】
【００１９】
図１は、実施例１に係る清掃具の概略形状を示す図であり、図１（ａ）は正面図、図１（ｂ）は側面図である。
図１において、本実施例の清掃具１０は、板状の弾性材料よりなる先端部分１と、先端部分１を保持するホルダ部２とを備えている。先端部分１はその先端３が清掃面に直線状に接触し、先端３を清掃面に押し付けることにより変形可能に構成されている。また、先端部分１には、清掃面と接触する先端３から長さ２〜８ｍｍ程度の切り込み４が、２〜５ｍｍ程度の間隔で形成されている。本実施例の清掃具１０は、清掃面が机や様々な家具の表面等の狭い清掃面に用いるため、先端部分１の横幅Ｗは、数ｃｍ〜２０ｃｍ程度であり、先端部分の先端での厚さは１〜２ｍｍ程度である。
【００２０】
本実施例の清掃具１０には、清掃具１０を持ちやすくするために、ホルダ部２に棒状の取手５が取り付けている。また、清掃面に対して取手５を斜めに傾けて移動させたとき、先端部分１の先端３付近の面が清掃面に対してほぼ垂直になるようにするため、先端部分１は、くの字状に折れ曲げている。
なお、本実施例の清掃具１０は、切り込み４が形成されていることを除けば、従来のワイパー型清掃具と類似している。すなわち、本実施例の清掃具１０は、従来のワイパー型清掃具に切り込みを形成することにより、容易に作製可能である。
【００２１】
図２は実施例１の清掃具１０の使用状態を示す斜視図である。
図２は、机面等の清掃面６上を、取手５を斜めに傾けて保持し、先端３を清掃面６に押し付けることにより、先端部分１の先端３付近を若干撓ませて変形させながら移動させ、清掃面６上の塵埃の一部を捕獲しながら掃き取る作業を示している。
【００２２】
実施例１の清掃具１０を実際に作製し、実験によりその効果の確認を行った。その結果、先端部分１の先端３の部分に切り込み４が多数形成されていることにより、その切り込み４に埃等の塵埃が挟まり、その捕獲された塵埃７が清掃具１０を移動させることにより繋がったり、塊になったりして、捕獲された塵埃７が切り込み４から離れることなく移動動作がなされることが確認できた。この捕獲された塵埃７は、清掃後、先端３の部分を紙や布で拭うことにより、容易に取り除くことができた。このように、清掃具１０では先端の切り込み４により塵埃が捕獲されることにより、清掃面６上での塵埃の拡散が少なくなり、従来のワイパー型清掃具より塵埃の回収が容易となる。
【００２３】
図３は、実施例１の清掃具の先端部分の先端の形状例を示す図であり、図３（ａ）は正面図、図３（ｂ）は側面図である。
本実施例の清掃具１０は、机や様々な家具の表面等の狭い清掃面に用いるため、図３（ａ）において、切り込み４の長さｄは、ｄ＝２〜８ｍｍ、複数の切り込み４の間隔ｐは、ｐ＝２〜５ｍｍ、とすることが望ましい。また、先端３が変形していない時は、ゴム等の弾性体材料の弾力により切り込み４による隙間が生じていないことが最も望ましく、埃などを切り込みに保持するためには、隙間が生じたとしても、その隙間の幅ｇは、ｇ≦１ｍｍ、とすることが望ましい。
清掃具１０の先端３を清掃面６に押し付けることにより変形可能とするため、図３（ｂ）において、先端部分１の先端３での厚さｔは、ｔ＝１〜２ｍｍ、とすることが望ましい。
【００２４】
本実施例の清掃具１０の先端部分１として様々なゴム等の弾性材料を含むエラストマーを用いることができる。また、ホルダ部２も先端部分１と同じ弾性体材料で一体として形成することも可能であり、これにより製作工程を簡易化できる。取手５の部分も同一の弾性材料で一体として形成してもよく、これによりさらに製作工程の簡易化が可能である。この場合には、成形型で全体形状を作製後、最後に切り込み４の形成を行えばよい。
【００２５】
図４は、実施例１の清掃具の先端の形状の変形例を示す正面図である。
図４の先端部分１１は、先端１３に対して斜めに傾いた直線からなる切り込み１４を有している。図３（ａ）のように、切り込みの形状は、先端３に対して垂直な方向に形成する方が作製が容易な場合もあるが、塵埃を切り込みに挟み込んで捕獲するという目的に対しては、図４の切り込み１４でも同様な効果が得られる。さらに、切り込みの形状は直線状である必要はなく、曲線状であってもよい。
【実施例２】
【００２６】
図５は、実施例２に係る清掃具の概略形状を示す正面図である。
図５において、本実施例の清掃具２０の先端部分２１には、２つの直線状の先端、すなわち、先端２３ａと先端２３ｂとを有し、直線状の先端２３ａと２３ｂの成す角度θは、１０〜４５度程度となっている。また、先端２３ａと先端２３ｂにはそれぞれ複数の切り込み、２４ａと２４ｂが形成されている。本実施例の清掃具２０には取手はなく、先端部分２１を保持するホルダ部２２を手で保持しながら、先端２３ａ、又は先端２３ｂを清掃面上に押し付けて移動させる。これにより、清掃面の塵埃を切り込み２４ａ、又は２４ｂに挟み込んで捕獲しながら清掃することができる。
【００２７】
ここで、先端２３ａに形成された切り込み２４ａは、先端２３ｂに形成された切り込み２４ｂよりも小さな間隔で多数配置されている。これにより、先端２３ｂで大きな塵埃を取り除いた後、先端２３ａでより細かい塵埃を取り除くなどの作業が可能となる。
【実施例３】
【００２８】
図６は、実施例３に係る清掃具の概略形状を示す正面図である。
本実施例の清掃具３０の先端部分３１には、３つの直線状の先端、すなわち、先端３３ａ、先端３３ｂ、及び先端３３ｃを有し、直線状の先端３３ａと３３ｂの成す角度、及び直線状の先端３３ｂと３３ｃの成す角度は、それぞれ１０〜４５度程度となっている。また、先端３３ａ、先端３３ｂ、及び先端３３ｃにはそれぞれ複数の切り込み、３４ａ、３４ｂ、及び３４ｃが形成されている。本実施例の清掃具３０は、先端部分３１を保持するホルダ部３２に取り付けられた取手３５を有している。
【００２９】
また、本実施例の清掃具３０は、清掃時に先端３３ａ、先端３３ｂ、及び先端３３ｃを使用するとき、取手３５の長さ方向がそれらの使用している各先端に対してほぼ垂直となるように、取手３５は回転可能に構成されている。すなわち、ホルダ３２の取手固定部３７は、取手３５が、実線及び破線で示した位置に回転し、その角度でほぼ固定できるような構造を有している。これにより、先端を取り換えて清掃する場合、その移動方向に作業し易いような位置に取手３５を配置することができる。
【００３０】
本実施例の清掃具３０では、清掃作業ごとに異なる先端、すなわち、先端３３ａ、先端３３ｂ、及び先端３３ｃを用いることができる。この場合、先端３３ａ、先端３３ｂ、及び先端３３ｃにそれぞれ形成された切り込み、３４ａ、３４ｂ、及び３４ｃの形状は同じであってもよく、又はそれぞれ異なっていてもよい。
形状が同じ場合、例えば、１つの先端の切り込みに挟まれた埃等が溜まった場合、他の先端を用いることができる。
また、切り込み、３４ａ、３４ｂ、及び３４ｃの切り込みの間隔や長さを互いに変えることにより、塵埃の大きさや数、種類などに応じて、使用する先端を取り換えて使用することも可能である。例えば、大きな間隔で形成された長い切り込みを有する先端で大きな塵埃を取り除いた後、小さな間隔で形成された短い切り込みを有する先端でより細かい塵埃を取り除くなどの作業が可能である。
【００３１】
以上のように、本発明の清掃具は、塵埃の捕獲機能を有し、従来のワイパー型清掃具に比べて、塵埃の回収が容易である。
【００３２】
本発明の清掃具は、机面、家具面や床面上の清掃だけでなく、塵埃が溜まりやすい棚の上、ドアの上、カーテンレールの上、照明器具の傘の上など、様々な面の清掃に用いることができる。
【００３３】
なお、本発明は上記の実施例に限定されるものではないことは言うまでもなく、目的や用途に応じて設計変更可能である。例えば、図１の清掃具１０においては、先端部分１は、くの字状に曲がっているが、先端部分１は１つの平面状であってもよい。また、清掃面と接触する先端は直線状である必要はなく、例えば円柱面などの凸面状の清掃面を目的とする場合や、凹面状の清掃面を目的とする場合は、先端の形状は、清掃面に合わせた曲線状であってもよい。また、４つ以上の異なる先端を有していてもよい。
【符号の説明】
【００３４】
１    先端部分
２、２２、３２    ホルダ部    
３、１３、２３ａ、２３ｂ、３３ａ、３３ｂ、３３ｃ    先端
４、１４、２４ａ、２４ｂ、３４ａ、３４ｂ、３４ｃ    切り込み
５、３５    取手
６    清掃面
７    捕獲された塵埃
３７    取手固定部
【図１】
2019171133.tif 000003
【図２】
2019171133.tif 000004
【図３】
2019171133.tif 000005
【図４】
2019171133.tif 000006
【図５】
2019171133.tif 000007
【図６】
2019171133.tif 000008